(57)【要約】【課題】電気的条件および幾何学的条件に関する阻害なしに、且つ後の層板パケットの使用時の短絡の恐れなしに、個別歯パケットを簡単にリング状層板パケットに継ぎ合わせ、これから取り外すことができるようにリング状層板パケットを構成する。【解決手段】それぞれ少なくとも１つのポールシャフトと少なくとも１つのポールシューとを有している複数の互いに接触している個別歯パケットから成るリング状層板パケットであって、隣接しあっている個別歯パケットがそのポールシューの端面でもって互いに接触している前記層板パケットにおいて、隣接しあっている個別歯パケット（１）は、少なくとも１つの接着剤結合部を介して次のように互いに結合され、すなわち前記個別歯パケット（１）を前記リング状層板パケット（２）から取り外すために前記接着剤結合部を力の作用のもとに解除できるように、互いに結合されている。【選択図】図１
2015136288.tif 000002
【特許請求の範囲】
【請求項１】
それぞれ少なくとも１つのポールシャフトと少なくとも１つのポールシューとを有している複数の互いに接触している個別歯パケットから成るリング状層板パケットであって、隣接しあっている個別歯パケットがそのポールシューの端面でもって互いに接触している前記層板パケットにおいて、
隣接しあっている個別歯パケット（１）が、少なくとも１つの接着剤結合部を介して次のように互いに結合され、すなわち前記個別歯パケット（１）を前記リング状層板パケット（２）から取り外すために前記接着剤結合部を力の作用のもとに解除できるように、互いに結合されていることを特徴とする層板パケット。
【請求項２】
前記ポールシュー（４）が、その１つの端面（５）に少なくとも１つの突起（６）を有し、且つその他の端面（８）に少なくとも１つの凹部（９）を有していること、前記突起（６）と前記凹部（９）とが好ましくはアンダーカットなしに形成されていることを特徴とする、請求項１に記載の層板パケット。
【請求項３】
前記突起（６）と前記凹部（９）とが互いに補完し合うように形成されていることを特徴とする、請求項２に記載の層板パケット。
【請求項４】
前記ポールシュー（４）の前記１つの端面（５）の領域における前記突起（６）の幅が、この端面の幅よりも狭いことを特徴とする、請求項２または３に記載の層板パケット。
【請求項５】
接着剤が、隣接しあっている個別歯パケット（１）の間にある継ぎ合わせ隙間（１１）の領域にあることを特徴とする、請求項１から４までのいずれか一つに記載の層板パケット。
【請求項６】
接着剤が接着点の形態で塗布されていることを特徴とする、請求項１から５までのいずれか一つに記載の層板パケット。
【請求項７】
個別歯パケットがポールシューの端面でもって互いに接して結合されている、特に請求項１から６までのいずれか一つに記載の層板パケットの製造方法において、
前記個別歯パケット（１）の間に少なくとも部分的に接着剤を塗布することを特徴とする方法。
【請求項８】
接着剤を、隣接しあっている前記個別歯パケット（１）の間にある継ぎ合わせ隙間（１１）の領域に塗布することを特徴とする、請求項７に記載の方法。
【請求項９】
接着剤を、前記継ぎ合わせ隙間（１１）の領域において、１つの層板パケット（２）の少なくとも１つの端面（１０，１２）に塗布すること、接着剤を毛細管作用によって前記継ぎ合わせ隙間（１１）に浸透させることを特徴とする、請求項７または８に記載の方法。
【請求項１０】
接着剤を滴状形態で塗布することを特徴とする、請求項７から９までのいずれか一つに記載の方法。
【請求項１１】
押し抜き工具で、まず隣接しあっている前記個別歯層板（１ａ）の間に分離個所を形成し、更なるステップで前記個別歯層板（１ａ）を押し抜くことを特徴とする、請求項７から１０までのいずれか一つに記載の方法。
【請求項１２】
円形配置の状態にある前記個別歯層板（１ａ）が前記層板パケット（２）の平面を形成し、リング状に配置されている前記個別歯層板（１ａ）を積層して前記層板パケット（２）を形成させることを特徴とする、請求項１１に記載の方法。
【請求項１３】
接着剤を、前記層板パケット（２）内部の前記個別歯層板（１ａ）の端面に塗布することを特徴とする、請求項７から１２までのいずれか一つに記載の方法。
【発明の詳細な説明】
【技術分野】
【０００１】
本発明は、請求項１の上位概念部に記載のリング状層板パケット、および、請求項７の上位概念部に記載のこのような層板パケットの製造方法に関するものである。
【背景技術】
【０００２】
個別歯層板から形成される個別歯パケットを組み立ててリング状層板パケットを形成することは公知である。個別歯パケットを組み立ててリング状層板パケットを形成することができるようにするため、個別歯パケットのポールシューは所定の当接面を有し、好ましくはその１つの端面に突起を有し、反対側の端面に突起に対し補完的な凹部を有している。突起は正面図で見て部分円形状に形成されて、１８０゜以上にわたって延在している。個別歯パケットは、組立の際に、その突起でもって該個別歯パケットの一端において、隣接している個別歯パケットの対応する凹部に挿着され、継ぎ合わされた複数の個別歯パケットが互いに同じ高さに位置するまで、個別歯パケットの長手方向に変位せしめられる。組み立てられた個別歯パケットは顧客のもとでふたたび分解されて、外装(ummanteln)およびコイル巻き(bewickeln)が施される。次に、顧客が再び個別歯パケットを組み立ててリング状層板パケットを形成させる。継ぎ合わせ工程においても分離過程においても、突起および凹部の領域でしばしば望ましくない変形が生じることがあり、これによって層板パケットの電気特性および幾何学的条件も悪化する。また、個別歯パケットを変位させる際に屑が凹部内に侵入することもある。屑は、個別歯層板において押し抜きの際に薄帯板から形成される押し抜きまくれに起因している。屑のために、電気作動手段で層板パケットを使用する際に短絡が生じることがある。
【発明の概要】
【発明が解決しようとする課題】
【０００３】
本発明の課題は、この種のリング状層板パケットおよびこの種の方法を次のように構成すること、すなわち電気的条件および幾何学的条件に関する阻害なしに、且つ後の層板パケットの使用時の短絡の恐れなしに、個別歯パケットを簡単にリング状層板パケットに継ぎ合わせ、これから取り外すことができるように構成することである。
【課題を解決するための手段】
【０００４】
この課題は、この種のリング状層板パケットにおいて、本発明によれば請求項１特徴ある構成により解決され、この種の方法においては、本発明によれば請求項７の特徴ある構成により解決される。
【０００５】
リング状層板パケットは個々の個別歯パケットから成り、隣接しあっている個別歯パケットは少なくとも１つの接着結合部を介して互いに結合されている。接着剤結合部は、比較的小さな力を適用することで結合解除できるように構成されている。この接着剤結合部を適宜手で解除することが可能であり、その結果使用者は個別歯パケットを外装およびコイル巻きするためにリング状層板パケットから取り外すことができる。その際接着剤結合部は、搬送の間に個別歯パケットが確実に保持されるよう構成されている。
【０００６】
簡潔な実施態様では、個別歯パケットはそのポールシューの端面でもって互いに面接触し、接着剤結合部により保持されている。
【０００７】
しかしながら、ポールシューが、その１つの端面に少なくとも１つの突起を有し、且つその他の端面に少なくとも１つの凹部を有し、突起と凹部とが好ましくはアンダーカットなしに形成されているのが有利である。突起と凹部とは、個々の個別歯パケットを外装しコイル巻きした後に位置正確に互いに並置してリング状層板パケットを形成させるのを容易にする。
【０００８】
アンダーカットのない有利な構成なので、１つの個別歯パケットをその突起でもって隣接の個別歯パケットの凹部に側方から差し込むことにより、個別歯層板から形成される個別歯パケットを非常に簡単に継ぎ合わせることができる。従って、隣接しあっている個別歯パケットを長手方向に変位させる必要がない。対応的に、個別歯パケットを再び互いに切り離すのを簡単に行うことができる。突起および凹部のアンダーカットのない構成であるので、切り離し工程および継ぎ合わせ工程の際に望ましくない塑性変形は生じない。切り離し工程および継ぎ合わせ工程の際に押し抜きまくれが破断して凹部内に到達する恐れもない。個別歯層板の本発明による構成により、押し抜きの際に隣り合っている個別歯層板はリング状層板パケットに組み立てても隣り合っているので、電気特性および／または幾何学的特性に優れた個別歯パケット、よってリング状層板パケットを製造することができる。
【０００９】
突起と凹部とは互いに補完し合うように形成されており、その結果個別歯パケット相互の簡単な継ぎ合わせ工程と正確な配向とが確保されている。
【００１０】
ポールシューの前記１つの端面の領域における突起の幅が、この端面の幅よりも狭ければ、個別歯パケットの正確な位置決めに寄与する。この場合、隣接しあっている個別歯パケットは突起および凹部でもって互いに接触しているばかりでなく、突起および凹部の外側の領域にあるポールシューの端面でもっても互いに接触している。
【００１１】
有利な実施態様では、個別歯層板の突起は、その幅がポールシューの端面を起点としてその自由端の方向へ減少するように構成されている。
【００１２】
この場合、突起がポールシューの端面を起点としてその自由端の方向へ連続的に先細りになっていれば、個別歯層板の簡単な製造が得られる。このように形成した突起は簡単に、コスト上好ましく製造することができる。これにより、このような個別歯層板から形成される個別歯パケットは、互いに簡単に切り離し継ぎ合わせることができる。
【００１３】
有利な構成では、突起は三角形の輪郭を有している。
【００１４】
他の有利な実施態様によれば、突起はほぼ半円形の輪郭を有していてもよい。
【００１５】
接着剤が、隣接しあっている個別歯パケットの間にある継ぎ合わせ隙間の領域にあれば、隣接しあっている個別歯パケットの確実な結合が得られる。この場合、接着剤は突起の外面と凹部の壁との間に設けられていてよい。ここだけに接着剤を設けてもよいが、これに加えて、突起または凹部の外側で互いに接している端面の領域にも接着剤を設けるようにしてもよい。
【００１６】
接着剤が接着点の形態で塗布されていれば、十分に堅固であるが、簡単に解除可能な接着剤結合部が得られる。個別歯パケットの間で望ましい固定結合が得られるように多数の接着点を塗布する必要はない。このような構成によって接着剤も節約される。
【００１７】
接着剤は、隣接しあっている個別歯パケットの間にある継ぎ合わせ隙間の領域に塗布される。この場合、有利には、接着剤を、継ぎ合わせ隙間の領域において、１つの層板パケットの少なくとも１つの端面に塗布する。このとき接着剤は毛細管作用で継ぎ合わせ隙間の中へ浸透する。接着剤を、継ぎ合わせ隙間の領域において、１つの層板パケットの両端面に塗布すれば、隣接しあっている個別歯パケットの間でのさらに好適な接着結合が得られる。
【００１８】
接着剤は、個別歯パケットに沿って、互いに間隔をもって位置している個所の、隣接しあっている個別歯パケットの間の継ぎ合わせ隙間に塗布してもよい。毛細管作用により接着剤はそれぞれの継ぎ合わせ隙間に浸透する。
【００１９】
さらに、接着剤を全面に塗布するのではなく、滴状形態で塗布するのが有利である。これは、個別歯パケットの間での確実な結合を得るうえで十分である。この場合、手の適当な力で個別歯パケットを再び互いに切り離すことができる。
【００２０】
有利には、押し抜き工具で、まず隣接しあっている個別歯層板の間に分離個所を形成する。更なるステップで、好ましくは同じ打ち抜き工具を用いて個別歯層板を押し抜く。個別歯層板はリング状に配置されている。
【００２１】
層板パケットを形成するため、リング状に直列に配置される個別歯層板を上下に設置し、適当な態様で互いに結合させる。すなわち、上下に設置した個別歯層板を互いに溶接および／または接着および／または形状拘束的におよび／または摩擦で結合させることができる。
【００２２】
有利には、接着剤を、層板パケット内部の個別歯層板の端面に塗布してもよい。
【００２３】
本出願が対象とする構成は、特許請求の範囲の個々の請求項が対象とする構成によって得られるばかりでなく、図面および発明の詳細な説明の欄に開示した記載および構成によっても得られる。本出願が対象とする構成は、請求項の対象になっていなくとも、個々にまたは組み合わせて技術水準に対し新規なものであれば、本発明にとって重要なものである。
【図面の簡単な説明】
【００２４】
本発明の更なる構成は、他の請求項、以下の説明および図面から明らかである。
図面に図示したいくつかの実施形態に関して本発明を詳細に説明する。
【図１】本発明による個別歯層板から組み立てられたリング状層板パケットの斜視図である。
【図２】層板パケットの側面図である。
【図３】層板パケットの平面図である。
【図４】図３の部分Ａの拡大図である。
【図５】本発明による個別歯層板から組み立てられた層板パケットの他の実施形態を図３に対応して示した図である。
【図６】本発明による個別歯層板から組み立てられた層板パケットの前記他の実施形態を図４に対応して示した図である。
【図７】本発明による個別歯層板から組み立てられた層板パケットの更なる実施形態を図３に対応して示した図である。
【図８】本発明による個別歯層板から組み立てられた層板パケットの前記更なる実施形態を図４に対応して示した図である。
【発明を実施するための形態】
【００２５】
以下に説明する個別歯の形態の層板から、電気機械で使用されるリング状層板パケットが形成される。このような層板パケットはたとえば電動機のロータおよび／またはステータで使用される。
【００２６】
以下に説明する層板は、１つのリングを形成する個別歯である。押し抜かれた複数のリングは組み立てられて１つのリング状層板パケット２を形成する。リング状層板パケット２は互い接触している個別歯パケット１から成っている。個別歯パケット１には、図５に例示したように通し番号が付される。図５の実施形態では、１つのリング状層板パケット２は２４個の個別歯パケット１から成っている。個別歯パケット１は顧客への搬送のために組み立てられてリング状層板パケット２を形成する。顧客はリング状層板パケット２を個別歯パケット１に分解して、これを外装しコイル巻きする。次に、個別歯パケット１をもとの順番で継ぎ合わせて層板パケット２を形成させる。個別歯パケット１は、以後の処理のために支障なく互いに切り離され、再び継ぎ合わせて簡単にリング状層板パケット２が形成されるように構成されている。個別歯パケット１に通し番号を付すのは、押し抜きの際に互いに隣接しあっている層板が、個別歯パケット１の切り離し後および継ぎ合わせ後に層板パケット２においても互いに隣接し合うようにするためである。これによって層板パケット２の最適な幾何学的特性および電気的特性が得られる。
【００２７】
個別歯パケット１は複数の個別歯層板１ａから形成される。有利には、個別歯層板１ａを製造するために１つの薄帯板を使用し、この薄帯板から、図５に例示したように２４個の個別歯層板１ａを切り出す。この場合、２４個の個別歯層板１ａは押し抜きによって薄帯板から切り出してもよいが、たとえばレーザー切断のような他の切断方法によって切り出してもよい。
【００２８】
個別歯層板１ａはポールシャフト３とポールシュー４とを有している。ポールシャフト３とポールシュー４とは互いに一体に形成されていてよい。しかし、ポールシャフト３とポールシュー４とを互いに切り離して製造し、その後互いに結合させるようにしてもよい。
【００２９】
ポールシュー４は、その１つの端面５に、ほぼ三角形の輪郭を有する突起６を備えている。突起６の先端７は有利には丸みを帯びている。突起６はポールシュー４の端面５の中央から突出している。
【００３０】
反対側の端面８に、ポールシュー４は、突起６に対し補完的な凹部９を有している。
【００３１】
端面５の高さにおいて、突起６の半径方向の幅は端面５の幅よりも狭い。凹部９も、端面８の領域においてはこの端面よりも幅狭である。これにより、互いに隣接しあっている個別歯パケット１はその突起６および凹部９でもって互いに面接触しているばかりでなく、その端面５，８の一部でもっても互いに面接触している（図３および図４）。これにより、リング状層板パケット２内部で個別歯パケット１が互いに申し分なく配向されていることが達成される。
【００３２】
本実施形態では、押し抜き工具で予め２４個の切断個所が押し抜かれる。個別歯層板１ａを結合させて個別歯パケット１を形成させるために設けられる結合要素は、切断工程前または切断工程後に取り付ける。次に、オプションで、個別歯パケット１を結合させてリング状層板パケット２を形成させるための接着箇所を設ける。同じ押し抜き工具で押し抜きを行う場合、たとえは２４個の個別歯層板１ａが円形配置で生じるが、このことはリング状層板パケット２の１つの面に対応しており、個別歯層板は一連の押し抜き工程の雌型内で結合されて層板パケット２を形成する。個別歯層板リングから層板パケット２が形成される。
【００３３】
互いに上下に着座している個別歯層板１ａは、適当な態様であればいかなる態様でも互いに結合されていてよく、たとえば接着結合、個別歯層板１ａに設けられて互いに係合し合う凹凸、個別歯層板１ａを貫通するピン等によって結合されていてよい。個別歯パケット１の内部では、複数の突起６は個別歯パケット１の高さ方向に延びる１つの細条部を形成し、この細条部により、個別歯パケット１は、これに隣接する個別歯パケット１の、凹部９によって形成されている溝に係合する。突起６と凹部９にはアンダーカットが設けられていないので、個別歯パケット１を外装工程およびコイル巻き工程の前に支障なく切り離すことができ、その後、製造すべきリング状層板パケット２の周方向で継ぎ合わせることによって再び支障なく継ぎ合わせることができる。互いに隣接しあっている個別歯パケット１を互いに接触させている平坦な端面５，８により、個別歯パケット１の申し分のない配向を保証することができる。
【００３４】
個別歯パケットから形成されているリング状層板パケット２がばらばらに崩れないようにするため、隣接しあっている個別歯パケット１は少なくとも１つの接着箇所によって互いに結合されている。接着剤は、たとえば、隣接しあっている個別歯パケット１の間の継ぎ合わせ隙間１１の領域でそれぞれ継ぎ合わされている個別歯パケット１の少なくとも１つの端面１０に塗布される。毛細管作用の結果、接着剤は継ぎ合わせ隙間１１の中に浸透する。接着剤は、継ぎ合わされている個別歯パケット１の、対向している端面１２から、継ぎ合わせ隙間１１の領域に塗布してもよい。層板パケット２の厚さによっては、接着剤を、両端面において、隣接しあっている個別歯パケット１の間の継ぎ合わせ隙間の中に塗布してもよい。また、接着剤を個別歯パケット１の内部において、いくつかの個別歯層板またはすべての個別歯層板１ａの端面に塗布してもよい。
【００３５】
同様に、接着剤を継ぎ合わせ隙間１１に沿って個別歯パケットの長手方向に塗布することが可能である。しかし、このような処置は押し抜き工程以外でのみ可能である。
【００３６】
接着剤により個別歯パケット１は層板パケット２内部で十分に固定結合され、その結果層板パケット２は搬送時に個別歯パケット１にばらけない。他方、接着力は、適宜力を作用させることによって層板パケット２が簡単に個別歯パケット１に切り離すことができる程度の大きさにすぎない。
【００３７】
さらに、接着剤は、突起６によって形成される細条部に部分的に、好ましくは接着点として塗布することができる。同様に、接着剤を、凹部９によって形成される個別歯パケット１の溝の中に少なくとも部分的に、好ましくは接着点として塗布することもできる。接着剤としてはたとえばシアノアクリレート接着剤が考えられる。
【００３８】
突起６と凹部９はアンダーカットを有していないので、個別歯パケット１を層板パケット２の周方向に互いに分離でき、継ぎ合わせることもできる。その際、電気的条件および／または幾何学的条件を悪化させるような変形は生じない。
【００３９】
個別歯層板１ａが薄帯板から押し抜き方法によって切り出される場合、個別歯層板１ａは押し抜きまくれを有する。押し抜きまくれは、個別歯層板１の組み立ての際に問題にならない。というのは、個別歯層板は、アンダーカットを有していないために、互いに簡単に分離でき、再び組み立てることができるからである。
【００４０】
図５および図６は、個別歯層板１ａのポールシュー４の端面５，８が平坦であるようにした１実施形態を示している。それ故、前記実施形態とは異なり、個別歯層板１ａから形成される個別歯パケット１は、その端面５，８でもって互いに面当接している。端面５，８は、個別歯パケット１から形成されるリング状層板パケット２の軸面内にある。接着剤は前述した態様で、好ましくは接着点として塗布する。接着剤は個別歯パケット１の高さ方向に次のように配分して塗布され、すなわち互いに接触しあっている個別歯パケット１が確実にまとめて保持されるように塗布される。接着剤の部分的塗布は、前記実施形態の場合のように、個別歯パケット１を支障なく互いに分離できて、これら個別歯パケットを外装、コイル巻きできるようにするためのものである。
【００４１】
互いに隣接しあっている個別歯パケットは互いに形状拘束的に結合されていないので、接着剤を直接個別歯パケット１のそれぞれの端面５，８に塗布するのが有利である。しかし、基本的には、接着剤を互いに接触しあっている個別歯パケット１の端面１０，１２に継ぎ合わせ隙間１１の高さで塗布することが可能であるが、これは押し抜き工程以外の工程でのみ実施可能である。毛細管現象のために接着剤は継ぎ合わせ隙間１１内へ浸透し、これによって互いに接触しあっている個別歯パケット１の間での確実な固定結合を可能にする。
【００４２】
図７および図８の実施形態は、実質的に図１ないし図４の第１実施形態に対応している。ポールシュー４の１つの端面５には突起６が設けられ、他方個のポールシューの他の端面８は凹部９を有している。突起６はほぼ半円形に形成され、図１ないし図４の実施形態の突起６よりも幅狭である。これにより、互いに隣接しあっている個別歯パケット１はその端面５，８のより大きな範囲でもって互いに接触している。突起６と凹部９とは互いに補完し合うように形成されている。
【００４３】
前記実施形態の場合と同様に、円形に配置されている個別歯層板１ａを組み立ててリング状の層板パケット２を形成させる。個別歯パケット１の、突起６によって形成される細条部は、隣接している個別歯パケットの、凹部９によって形成される溝に係合する。突起６と凹部９とはアンダーカットを有していないので、個別歯パケット１は外装およびコイル巻きの前に簡単に切り離すことができ、また再び組み立てることができる。接着剤の塗布は、同様に、適当な力の作用によって層板パケット２をその個々の個別歯パケット１に分割できるように行われている。この分割工程も支障なく可能であり、というのは突起および凹部のアンダーカットのない構成により、個々の個別歯パケットを層板パケット２の周方向に互いに引き離すことができるからである。
【００４４】
個別歯層板１ａがその長手中心面に関しほぼ左右対称に形成されていれば、或いは、リング内で互いに直列に位置している個別歯層板が回転対称に形成されていれば、押し抜かれた個別歯層板１ａをすでに形成されている積層体の上に載置する前に、回転ステーションを用いて積層体をその軸線のまわりに個別歯パケット１の角度だけ回転させることが可能である。これによって層板積層体２の平行度、同心性、平面性等に関してより好適な公差が得られる。
【符号の説明】
【００４５】
１          個別歯パケット
１ａ        個別層板
２          層板パケット
４          ポールシュー
５          ポールシューの端面
６          突起
８          ポールシューの端面
９          凹部
１０，１２  層板パケットの端面
１１        継ぎ合わせ隙間
【図１】
2015136288.tif 000003
【図２】
2015136288.tif 000004
【図３】
2015136288.tif 000005
【図４】
2015136288.tif 000006
【図５】
2015136288.tif 000007
【図６】
2015136288.tif 000008
【図７】
2015136288.tif 000009
【図８】
2015136288.tif 000010